(57)【要約】【課題】角柱パイプの底壁側をたとえ横向きや上向きに配置したとしても水抜き孔の排水機能の低下を防止し得る角柱パイプの水抜き構造を提供する。【解決手段】支持棚の鉄系金属からなる角柱パイプである右側辺桟部材６は、底壁６ａと一側壁６ｂとの間の角部６ｃに水抜き孔１６が穿設されている。この水抜き孔は、前記角部６ｃの折曲点Ｐを中心として、一側壁６ｂ側から底壁６ａ側に跨って傾斜状に切り欠かれていると共に、底壁側の矩形状の一端開口１６ａと一側壁側の矩形状の他端開口１６ｂとから構成されている。  これによって、各構成部材との結合時に、右側辺桟部材を周方向の向きを誤った場合でも、いずれか一方側の前記開口１６ａ、１６ｂを下向きにすることができる。【選択図】図２
2016196342.tif 000002
【特許請求の範囲】
【請求項１】
内部中空状の角柱パイプの水抜き構造において、
前記角柱パイプの折曲された複数の角部中、少なくともいずれか一つの角部に水抜き孔を貫通形成したことを特徴とする角柱パイプの水抜き構造。
【請求項２】
前記角柱パイプを、横断面四角形状に形成すると共に、
前記水抜き孔を、前記角部の折曲点を中心として前記角柱パイプの一側壁から底壁あるいは他側壁から上壁に渡って傾斜状に形成したことを特徴とする請求項１に記載の角柱パイプの水抜き構造。
【請求項３】
前記水抜き孔を、前記角柱パイプの底壁側と上壁側の対角線上にある両角部にそれぞれ形成したことを特徴とする請求項２に記載の角柱パイプの水抜き構造。
【請求項４】
四隅に立設された支柱と、該前側の左右両支柱の下部と後側の左右両支柱の下部との間に前後方向に沿って配設された両側辺桟部材と、前記後側の両支柱の下部間に横方向に沿って配設された後辺桟部材と、を備えた支持棚において、
少なくとも前記両側辺桟部材と前記後辺桟部材とを、内部中空状の角柱パイプによって形成すると共に、該角柱パイプの折曲された複数の角部中、少なくともいずれか一つの角部に水抜き孔を貫通形成したことを特徴とする角柱パイプを用いた支持棚。
【請求項５】
前記角柱パイプを、横断面四角形状に形成すると共に、
前記水抜き孔を、前記角部の折曲点を中心として前記角柱パイプの一側壁から底壁、あるいは他側壁から上壁に渡って傾斜状に形成したことを特徴とする請求項４に記載の角柱パイプを用いた支持棚。
【請求項６】
前記水抜き孔を、前記角柱パイプの底壁側と上壁側の対角線上にある両角部にそれぞれ形成したことを特徴とする請求項５に記載の角柱パイプを用いた支持棚。
【請求項７】
前記角柱パイプを、鉄系金属材あるいはアルミニウム合金材によって形成したことを特徴とする請求項１〜６のいずれか一項に記載の角柱パイプを用いた支持棚。
【発明の詳細な説明】
【技術分野】
【０００１】
本発明は、例えば鉄系金属からなる角柱パイプの水抜き構造と、該角柱パイプを用いた支持棚に関する。
【背景技術】
【０００２】
周知のように、例えば自動車部品や冷凍肉などを載置して倉庫に収容管理するためのパレットは、複数の角柱パイプによって枠状に形成された支持棚を利用して複数段積み重ねられて、倉庫内の省スペース化が図られるようになっている。
【０００３】
従来のパレットの支持棚としては、例えば、本出願人が先に出願した以下の特許文献1に記載されたものがある。
【０００４】
概略を説明すれば、この支持棚は、四隅に立設された内部中空状の４本の支柱と、該左右両前側の支柱と左右両後側の支柱との間に前後方向に沿って配置された左右両側辺桟部材と、前記後側の両支柱間の下部に横方向に沿って配置された後辺桟部材と、前記各支柱の各上端部間に設けられて、パレットを載置可能な矩形状の棚枠とを備えている。
【０００５】
前記各支柱や各桟部材は、横断面四角形の角柱パイプによって形成されており、前記各桟部材２０は、図８に示すように底壁２０ａに複数の水抜き孔２１が形成されている。
【０００６】
この各水抜き孔２０は、各桟部材２０の底壁２０ａの軸方向の両端部側の巾方向のほぼ中央位置にドリルなどによって貫通形成されて、各桟部材２０の内部に浸入した雨水などを倉庫の床面上や地面上に排出して、各桟部材２０内部の錆などの発生を防止するようになっている。
【先行技術文献】
【特許文献】
【０００７】
【特許文献１】特許第５０６０３７９号公報
【発明の概要】
【発明が解決しようとする課題】
【０００８】
しかしながら、前記各桟部材２０に有する各水抜き孔２１は、いずれも底壁２０ａの巾方向のほぼ中央位置に形成されていることから、各桟部材２０と前記各支柱を溶接によって結合する際に、各桟部材２０を誤って底壁２０ａ側を周方向の横方向や上方向の向きに配置してしまうと、水抜き孔２１の位置が横側あるいは上側になってしまい、排水機能を全く発揮できないおそれがある。
【０００９】
特に、角柱パイプが横断面正方形になっている場合は、各支柱に対する誤組付が起こり易いことから、前述した技術的課題を招き易い。
【００１０】
本発明は、前記従来の角柱パイプの水抜き孔の技術的課題に鑑みて案出されたもので、角柱パイプの底壁側を、誤って例えば横向きあるいは上向きに配置したとしても水抜き孔の排水機能の低下を防止し得る角柱パイプの水抜き構造を提供することを目的としている。
【課題を解決するための手段】
【００１１】
請求項１に記載の発明は、内部中空状の角柱パイプの水抜き構造において、前記角柱パイプの底壁側または上壁側の少なくともいずれか一方側の角部に水抜き孔を穿設したことを特徴としている。
【００１２】
請求項２に記載の発明は、前記水抜き孔を、前記角部の折曲点を中心として前記角柱パイプの側壁から底壁あるいは上壁に渡って傾斜状に形成したことを特徴としている。
【００１３】
請求項３に記載の発明は、前記水抜き孔を、前記角柱パイプの底壁側と上壁側の対角線上にある両角部にそれぞれ形成したことを特徴としている。
【００１４】
請求項４に記載の発明は、四隅に立設された支柱と、該前側の左右両支柱の下部と後側の左右両支柱の下部との間に前後方向に沿って配設された両側辺桟部材と、前記後側の両支柱の下部間に横方向に沿って配設された後辺桟部材と、を備えた支持棚において、少なくとも前記両側辺桟部材と前記後辺桟部材とを、内部中空状の角柱パイプによって形成すると共に、該角柱パイプの底壁側または上壁側の少なくともいずれか一方側の対角線上の角部に水抜き孔を形成したことを特徴としている。
【００１５】
請求項５に記載の発明は、前記水抜き孔を、前記角部の折曲点を中心として前記角柱パイプの一側壁から底壁あるいは他側壁から上壁に渡って傾斜状に形成したことを特徴としている。
【００１６】
請求項６に記載の発明は、前記水抜き孔を、前記角柱パイプの底壁側と上壁側の対角線上にある両角部にそれぞれ形成したことを特徴としている。
【００１７】
請求項７に記載の発明は、前記角柱パイプを、鉄系金属材あるいはアルミニウム合金材によって形成したことを特徴としている。
【発明の効果】
【００１８】
本発明によれば、水抜き孔を角柱パイプの底壁側あるいは上壁側の角部に形成したことから、組付時に、たとえ角柱パイプの底壁側を横向きあるいは上向きに配置したとしても、水抜き孔は下側に位置することになるから、排水機能を十分に発揮することができる。
【図面の簡単な説明】
【００１９】
【図１】本発明の第１実施形態に供される支持棚の斜視図である。
【図２】本実施形態に供される右側辺桟部材(角柱パイプ)の水抜き孔を示す斜視図である。
【図３】本実施形態に供される右側辺桟部材(角柱パイプ)の水抜き孔の第１変形例を示す斜視図である。
【図４】本実施形態に供される右側辺桟部材(角柱パイプ)の水抜き孔の第２変形例示す斜視図である。
【図５】本実施形態に供される右側辺桟部材(角柱パイプ)の水抜き孔の第３変形例示す斜視図である。
【図６】本発明の第２実施形態に供される右側辺桟部材(角柱パイプ)の水抜き孔を示す斜視図である。
【図７】第１、第２本実施形態に供される支持棚を二段重ねした状態を示す斜視図である。
【図８】従来の角柱パイプの水抜き孔の形成位置を示す斜視図である。
【発明を実施するための形態】
【００２０】
以下、本発明に係る角柱パイプの水抜き構造を、パレットを支持する積み重ね可能な支持棚に適用した実施形態を図面に基づいて詳述する。
【００２１】
前記支持棚１は、図１に示すように、四隅にそれぞれ立設された４本の支柱２〜５と、該前側の左右両支柱２，３の下部と後側の左右両支柱４，５の下部との間に前後方向に沿って配設された両側辺桟部材６，７と、前記後側の両支柱４，５の下端縁間に横方向に沿って配設された後辺桟部材８と、前記各支柱２〜５の上部に固設された棚枠９とから主として構成され、前記両前側支柱２，３側にパレット１０を内部に収容あるいは取り出す開口部１１が形成されている。なお、内側下部には棚枠が存在せず、パレット１０は直接地面に配置されることになる。
【００２２】
前記各支柱２〜５は、軽量化を図るために、鉄系金属材からなるプレートを折り曲げて内部中空の角柱状(角柱パイプ)に形成され、その横断面形状が正方形状の四角形に形成されていると共に、前側支柱２，３が、前記後側支柱４，５や棚枠９の後述する左右の両側縦枠部９ｂ、９ｂの外側面よりもそれぞれの幅長さ分（Ｗ）だけ外側に配置されている。
【００２３】
前記両側辺桟部材６，７は、各支柱２〜５と同じ成形方法によって一体に形成されて、同じく横断面正方形状の四角形に形成されており、前記前側の両支柱２，３と同じくほぼその幅長さ分（Ｗ）だけ後側支柱４，５などよりも外側に配置されていると共に、各後端部の対向面が前記後辺桟部材８の両端縁に溶接によって固定されている。一方、前端縁は、前側支柱２，３の後面に約３０ｍｍ程度の隙間をもってそれぞれ配置されている。なお、該前端縁には、水などの侵入を防止する図外の盲板が取り付けられている。
【００２４】
また、この両側辺桟部材６，７の前後上面には、所定長さの支持部材１２，１２、１３，１３がそれぞれ溶接によって固定されている。この前側の支持部材１２，１２は、前端縁が前側支柱２、３の後面にも溶接によって固定されている。したがって、各側辺桟部材６，７の前端部は、各支持部材１２，１２を介して前側支柱２，３と連結している。また、この各支持部材１２〜１３の存在によって各側辺桟部材６，７の上面との間に段差が形成されている。
【００２５】
前記後辺桟部材８は、各支柱２〜５と同じ成形方法によって横断面同一形状に形成され、前記各後側支柱４，５と同一平面上に配置されて両端部の各上面に前記各後側支柱４，５の下端縁が溶接によって固定されている。
【００２６】
前記棚枠９は、全体が格子状に形成され、前側支柱２，３の上端部間に横方向に配設されて、左右両端部が前側支柱２，３の対向面に溶接固定された前側横枠部９ａと、該前側横枠部９ａの両端部と後側支柱４，５の上端部との間に前後方向に配設されて、各前後両端部が前側横枠部９ａの両端部と後側支柱４，５の上端縁にそれぞれ溶接固定された両側縦枠部９ｂ，９ｂと、該両側縦枠部９ｂ，９ｂの後端部間に横方向に配設されて、左右両端部が後側支柱４，５の上端部と両側縦枠部９ｂ，９ｂの後端部にそれぞれ溶接固定された後側横枠部９ｃと、横幅方向の中央に前後方向へ配置固定された中央縦枠部９ｄと、縦幅方向の前後位置に配設固定された一対の中央横枠部９ｅ、９ｅとから構成されて、全体がほぼ平坦な棚に形成されている。また、棚枠９は、その上面全体の表面積が該上面に載置されるパレット１０の下面全体の表面積とほぼ同一に設定されている。
【００２７】
前記前側支柱２，３の各上端部の前面と、該前面と同一平面の前記前側横枠部９ａの前面との間には、補強プレート１４がそれぞれ跨設されている。この各補強プレート１４は、ほぼＬ字形状に形成されて、縦方向に延出した一端部１４ａが各前側支柱２，３の前面に溶接によって固定されている一方、横方向に延出した他端部１４ｂが前記前側横枠部９ａの両端部前面に溶接によって固定されている。
【００２８】
また、前記前側支柱２，３の下端部には、図外の係合凸部が取り付けられている。この各係合凸部は、金属板をプレス成形によって一体に形成されて、前記前側支柱２，３の下端縁に溶接固定されていると共に、底部には各支柱２，３内に侵入した水を外部に排出する図外の水抜き孔が穿設されている。
【００２９】
さらに、前記各前側支柱２，３の上端部内には、図２に示すように、後述する積み重ねられた上側の別異の支持棚１の前記各係合凸部が嵌合係止する係止凹部２ａ、３ａが設けられている。
【００３０】
前記後側支柱４，５の上端部後面、つまり棚枠９の両側辺枠部９ｂ、９ｂと後側枠部９ｃの左右両端側には、図１にも示すように、積み重ねられた上側の支持棚１の後方へのスライド移動を規制するストッパプレート１５、１５が溶接によって固定されている。このストッパプレート１５は、ほぼＬ字形状に折曲形成されて、下辺部１５ａが各後側支柱４，５の上端開口を閉塞するように溶接固定されて、各支柱４，５内への水の侵入を防止するようになっている一方、垂直に立ち上がった上辺部１５ｂがストッパとしての機能を発揮するようになっている。なお、各ストッパプレート１５，１５は、前述のように、棚枠９の表面積がパレット１０の表面積とほぼ同一になっていることから、前記載置されたパレット１０を避けるように後方位置に配置されている。
【００３１】
また、前記両側辺桟部材６，７や後辺桟部材８、棚枠９の各枠部９ａ〜９ｅの底壁側には、図２に示すような水抜き孔１６がそれぞれ形成されている。
【００３２】
この水抜き孔１６は、代表的な角柱パイプとして前記右側辺桟部材６のものについて説明すると、図２に示すように、右側辺桟部材６の長手方向の前後両端縁に形成されていると共に、右側辺桟部材６の底壁６ａと一側壁６ｂの間の曲率半径の小さな角部６ｃを傾斜状に切欠形成されている。つまり、角部６ｃの折曲点を中心Ｐとして例えばプレス成形機などによって一側壁６ｂ側から底壁６ａ側、あるいは底壁側６ａから一側壁６ｂ側に向かって傾斜状に切欠されて、底壁６ａと一側壁６ｂに跨ってほぼＬ字形状に形成されている。
【００３３】
したがって、この水抜き孔１６は、一端開口１６ａが前記底壁６ａに形成されていると共に、他端開口１６ｂが前記一側壁６ｂに形成されて、これら一端開口１６ａや他端開口１６ｂが底面側や一側面側から視るとほぼ矩形状に形成されている。
【００３４】
この水抜き孔１６は、前記両側辺桟部材６，７の前後両端縁の他に、長手方向の中央側にも形成されている。
〔支持棚の使用態様と本実施形態の作用効果〕
そして、前記構造の支持棚１を使用するには、通常は、例えば図７に示すような二段重ねで使用され、このとき、上側の支持棚１を予めフォークリフトなどによって持ち上げて該上側の支持棚１の後部側を、下側支持棚１の上部に手前側から重ね合わせてそのまま後方へスライド移動させる。つまり、上側の支持棚１の下部横桟部材８の両端部を、下側支持棚１の棚枠９の両側辺枠部９ｂ、９ｂに重ねてそのまま全体を後方へスライド移動させ、下部横桟部材８の両端部後面が前記両ストッパプレート１５，１５の上辺部１５ｂ、１５ｂに突き当たってそれ以上の移動が規制された時点で、上側支持棚１の前側を漸次下降させると、前記両係合凸部がこれに対応する係止凹部２ａ、３ａ内に嵌合して両者が係合する。これによって、下側支持棚１に対する上側支持棚１への連結作業が簡単に終了する。なお、前記各支持棚１は、二段重ねの他に、三段重ね、あるいはそれ以上の積み重ねが可能である。
【００３５】
次に、下側支持棚１の棚枠９上に、予め荷物が載置固定されたパレット１０をフォークリフトなどによって位置決めつつ載置する。
【００３６】
このとき、下側支持棚１の各支柱２〜５には、前記上側支持棚１の自重及び上側支持棚１上に載置されたパレット１０上の荷物の大きな荷重が座屈方向へ作用するが、特に大きな荷重が掛かる前側支柱２，３は、前面側では各補強プレート１４、１４による補強効果によって十分な補強がなされている。すなわち、各補強プレート１４，１４によって下側支持棚１の前側支柱２，３と上部横枠部９ａとの結合強度が向上するため、下側支持棚１の全体の強度が高くなる。これによって、上側支持棚１を安定に支持することが可能になる。
【００３７】
また、本実施形態では、前述したように、各水抜き孔１６の形成位置を、前記従来のように角柱パイプの底壁のみに形成するのではなく、前記角部６ｃを傾斜状に切欠形成して前記底壁６ａと側壁６ｃに跨って形成したことから、前記支持棚１の各構成部材を溶接結合する際に、前記右側辺桟部材６の周方向の向きを誤って配設した場合でも水抜き孔１６を下向きにすることが可能になる。
【００３８】
すなわち、前記支持棚１の各構成部材を溶接結合する際に、例えば右側辺桟部材６の周方向の向きを誤って底壁６ａを側部側に、一側壁６ｂを底部側に配設した場合でも、前記水抜き孔１６の一端開口１６ａが横向きになるが、他端開口１６ｂは下向きになっていることから、右側辺桟部材６内に浸入した雨水などは、実際の配置が底部側となった一側壁６ｂの底面を伝って前記水抜き孔１６の他端開口１６ｂから速やかに外部に排出することができる。
【００３９】
これによって、たとえ周方向の向きに誤りがあっても前記水抜き孔１６の排水機能を十分に発揮することが可能になる。
【００４０】
また、前記水抜き孔１６の形成位置を、図３に示すように、例えば右側辺桟部材６などの長手方向の両端縁よりも内側に形成することも可能である。
【００４１】
このようにすれば、部材の前記両端縁全体に溶接が可能であるから、部材によって前後端部と溶接による結合剛性が高くなる。
【００４２】
さらに、前記水抜き孔１６の打ち抜き形状を、図４に示すように、円形状に形成することによって、底壁６ａ側の一端開口１６ａと一側壁６ｂ側の他端開口１６ｂが、それぞれ半円形状にすることもできる。この場合、水抜き孔１６の開口面積を小さくして前記角部６ｃの折曲点Ｐ回りのみに形成することも可能である。また、水抜き孔１６は、その打ち抜き形状を図５に示すように、底壁６ａ側から一側壁６ｂ側に沿って長い長方形状に形成することも可能である。
〔第２実施形態〕
図６は本発明の第２実施形態を示し、各水抜き孔１６を、例えば前記右側辺桟部材６の各角部６ｃの互いに対角線上の位置、あるいは長手方向の位置をずらした対角線上の位置に形成したものである。
【００４３】
具体的に説明すれば、一方側の水抜き孔１６は、前記第１実施形態と同じく一側壁６ｂから底壁６ａ側へ傾斜状に切り欠いて形成されているが、他方側の水抜き孔１７は、他側壁６ｄから上壁６ｅ側へ傾斜状に切り欠いて形成されている。つまり、前記一方側の水抜き孔１６が形成された角部６ｃと対角線上にある角部６ｆで、かつ一方側の水抜き孔１６と長手方向で反対側の他端縁に、水抜き孔１７が形成されている。
【００４４】
したがって、この実施形態によれば、右側辺桟部材６（角柱パイプ）の周方向の向きが、前述した向きの他に、上壁６ｅを下側、他側壁６ｄを下側の向きとしたいずれの向きになっても、常に水抜き孔１６、１７の一端開口１６ａ、１７ａか他端開口１６ｂ、１７ｂが必ず下方へ向くことから、排水機能を常時発揮することができる。
【００４５】
この実施形態でも、第１実施形態と同じく水抜き孔１７の形状や長手方向の位置などは自由に選択することが可能である。
【００４６】
なお、前記水抜き孔１６、１７は、その大きさ、つまり開口面積や形成位置などは自由に設定することができるので、前記右側辺桟部材６などの角柱パイプの剛性に影響を与えることはない。
【００４７】
本発明は、前記実施形態における水抜き孔１６の形状や形成位置や形成の数などに限定されるものではなく、任意に設定することが可能である。
【００４８】
また、前記角柱パイプの横断面形状は、前記実施形態の例えば右側辺桟部材６などのように正方形に限定されるものではなく、矩形状であれば正方形に近いものや長方形状であっても良い。
【００４９】
さらに、前記各実施形態では、前記右側辺桟部材６について説明したが、水平な横方向に配設されている部材であればいずれのものにも適用できることはいうまでもない。
【符号の説明】
【００５０】
１…支持棚
２、３…前側支柱
４、５…後側支柱
６，７…両側辺桟部材
６ａ…底壁
６ｂ…一側壁
６ｃ…角部
６ｄ…他側壁
８…後辺桟部材
９…棚枠
１０…パレット
１６・１７…水抜き孔
１６ａ・１７ａ…一端開口
１６ｂ・１７ｂ…他端開口
【図１】
2016196342.tif 000003
【図２】
2016196342.tif 000004
【図３】
2016196342.tif 000005
【図４】
2016196342.tif 000006
【図５】
2016196342.tif 000007
【図６】
2016196342.tif 000008
【図７】
2016196342.tif 000009
【図８】
2016196342.tif 000010
【手続補正書】
【提出日】平成28年8月10日(2016.8.10)
【手続補正１】
【補正対象書類名】特許請求の範囲
【補正対象項目名】全文
【補正方法】変更
【補正の内容】
【特許請求の範囲】
【請求項１】
前後の四隅に立設された支柱と、前記前側の左右両支柱の下部と後側の左右両支柱の下部との間に前後方向に沿って配設された両側辺桟部材と、前記後側の両支柱の下部間に横方向に沿って配設された後辺桟部材と、を備えた支持棚において、
少なくとも前記両側辺桟部材と前記後辺桟部材とを、内部中空状の角柱パイプによって形成すると共に、該角柱パイプの折曲された複数の角部中、少なくともいずれか一つの角部に水抜き孔を貫通形成したことを特徴とする角柱パイプを用いた支持棚。
【請求項２】
前記角柱パイプを、横断面四角形状に形成すると共に、
前記水抜き孔を、前記角部の折曲点を中心として前記角柱パイプの一側壁から底壁、あるいは他側壁から上壁に渡って傾斜状に形成したことを特徴とする請求項１に記載の角柱パイプを用いた支持棚。
【請求項３】
前記水抜き孔を、前記角柱パイプの底壁側と上壁側の対角線上にある両角部にそれぞれ形成したことを特徴とする請求項２に記載の角柱パイプを用いた支持棚。
【請求項４】
前記角柱パイプを、鉄系金属材あるいはアルミニウム合金材によって形成したことを特徴とする請求項１〜３のいずれか一項に記載の角柱パイプを用いた支持棚。
【手続補正３】
【補正対象書類名】明細書
【補正対象項目名】００１１
【補正方法】変更
【補正の内容】
【００１１】
請求項１に記載の発明は、前後の四隅に立設された支柱と、前記前側の左右両支柱の下部と後側の左右両支柱の下部との間に前後方向に沿って配設された両側辺桟部材と、前記後側の両支柱の下部間に横方向に沿って配設された後辺桟部材と、を備えた支持棚において、少なくとも前記両側辺桟部材と前記後辺桟部材とを、内部中空状の角柱パイプによって形成すると共に、該角柱パイプの折曲された複数の角部中、少なくともいずれか一つの角部に水抜き孔を貫通形成したことを特徴としている。
【手続補正４】
【補正対象書類名】明細書
【補正対象項目名】００１４
【補正方法】変更
【補正の内容】
【００１４】
請求項４に記載の発明は、前記角柱パイプを、鉄系金属材あるいはアルミニウム合金材によって形成したことを特徴としている。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】